(57)【特許請求の範囲】
【請求項１】
略平行に配された一対の略長方形状の表面板と、前記表面板の長手方向に延びて該一対の表面板を所定間隔で一体的に結合する複数の隔壁部と、隣接する前記隔壁部の間に画成される中空部とを有し、長手方向が略鉛直方向となるように建築物の躯体に取り付けられた押出成形板において、幅方向に発生したひび割れの補修方法であって、
前記表面板の、前記ひび割れの下側に孔をあけ、該孔から該孔の直下の前記中空部に受け材を設け、該孔から前記中空部にモルタルを注入充填し硬化させることにより、前記ひび割れを跨ぐように、該中空部に密実な柱状のモルタル固着部を形成すること、を特徴とするひび割れの補修方法。
【請求項２】
前記受け材が、孔から挿入する前は前記中空部の断面よりも大きなスポンジ状の発泡体であり、該スポンジ状の発泡体を前記孔から圧縮しながら挿入することにより前記受け材を設ける、請求項１に記載のひび割れの補修方法。
【請求項３】
前記受け材が風船であり、膨らませる前の風船を前記孔から挿入し、該孔の直下の前記中空部で膨らませることにより前記受け材を設ける、請求項１に記載のひび割れの補修方法。
【請求項４】
前記受け材が、発泡材を現場発泡させてなる発泡体であり、前記孔から該発泡材を噴射することにより該孔の直下の前記中空部に前記受け材を設ける、請求項１に記載の補修方法。
【請求項５】
前記発泡体がウレタンである、請求項４に記載のひび割れの補修方法。
【請求項６】
前記モルタルを注入する前に、前記孔から前記中空部に線状の補強材を挿入し、該補強材を前記モルタル固着部に内在させる、請求項１〜５のいずれか一項に記載のひび割れの補修方法。
【請求項７】
前記補強材は、線状の補強材本体と、該補強材本体から該補強材本体の軸と略垂直方向に突出した２箇所以上の突起部とを有している、請求項６に記載のひび割れの補修方法。
【請求項８】
前記突起部は、前記補強材本体の両端部近傍に設けられている、請求項７に記載のひび割れの補修方法。
【請求項９】
前記モルタルには、主剤と硬化剤とを含む反応硬化型のエポキシ樹脂からなる結合材が混和されている、請求項１〜８のいずれか一項に記載のひび割れの補修方法。
【請求項１０】
前記モルタルには、ガラス粉末、ガラスバルーン又は硅石紛体が混和されている、請求項１〜９のいずれか一項に記載のひび割れの補修方法。
【請求項１１】
前記モルタルには、グラスファイバー、カーボンファイバー又はスチールファイバーが混和されている、請求項１〜１０のいずれか一項に記載のひび割れの補修方法。
【請求項１２】
エポキシ樹脂からなる前記結合材が混和された前記モルタルを混練した後、硬化が進まぬよう−５℃以下の低温状態で冷凍保存しておき、使用場所で解凍し、柔らかくなった状態で注入充填する、請求項９に記載のひび割れの補修方法。
【請求項１３】
前記孔の大きさが１０〜５０ｍｍである、請求項１〜１２のいずれか一項に記載のひび割れの補修方法。
【請求項１４】
前記モルタル固着部の長さが５０ｍｍ以上である、請求項１〜１３のいずれか一項に記載のひび割れの補修方法。
【請求項１５】
前記モルタル固着部が、前記ひび割れに対し上下に略均等に形成されている、請求項１〜１４のいずれか一項に記載のひび割れの補修方法。
【請求項１６】
同一の前記ひび割れに対して前記モルタル固着部を複数の前記中空部に形成する、請求項１〜１５のいずれか一項に記載のひび割れの補修方法。
【請求項１７】
前記ひび割れの延長線上であって、該ひび割れが発生していない箇所の前記中空部にも前記モルタル固着部を形成する、請求項１〜１６のいずれか一項に記載のひび割れの補修方法。
【請求項１８】
前記孔から前記モルタルを注入充填した後、該孔を塞ぎ材で塞ぐ、請求項１〜１７のいずれか一項に記載のひび割れの補修方法。
【請求項１９】
前記塞ぎ材で塞がれた前記孔に、さらに不定形の充填材を充填し、前記表面板の表面を平坦に仕上げる、請求項１８に記載のひび割れの補修方法。
【請求項２０】
前記不定形の充填材が、モルタル、シーリング材又はエポキシ樹脂系のパテ材である、請求項１９に記載のひび割れの補修方法。
【請求項２１】
前記ひび割れに対し、前記表面板の表面を該ひび割れに沿ってＶカット又はＵカットすることにより凹部を形成し、該凹部に不定形の充填材を充填し、前記表面板の表面を平坦に仕上げる、請求項１〜２０のいずれか一項に記載のひび割れの補修方法。
【請求項２２】
前記不定形の充填材が、モルタル、シーリング材又はエポキシ樹脂系のパテ材である、請求項２１に記載のひび割れの補修方法。
【請求項２３】
前記モルタル固着部が形成された前記中空部の上端において、上端部よりも下側の前記表面板に孔をあけ、該孔の直下の前記中空部に受け材を設け、該孔から前記中空部にモルタルを注入充填し硬化させることにより、該中空部の上端開口を塞ぐ、請求項１〜２２のいずれか一項に記載のひび割れの補修方法。
【請求項２４】
略平行に配された一対の略長方形状の表面板と、前記表面板の長手方向に延びて該一対の表面板を所定間隔で一体的に結合する複数の隔壁部と、隣接する前記隔壁部の間に画成される中空部とを有し、長手方向が略鉛直方向となるように建築物の躯体に取り付けられた押出成形板において、幅方向に発生したひび割れの補修構造体であって、
前記表面板の、前記ひび割れの下側にあけられた孔と、該孔の直下の前記中空部に設けられた受け材と、前記ひび割れを跨ぐように、該中空部の前記受け材上に密実に形成された柱状のモルタル固着部とを有すること、を特徴とするひび割れの補修構造体。
【発明の詳細な説明】
【技術分野】
【０００１】
本発明は、建築物の躯体に縦積みで取り付けられた押出成形板のひび割れの補修方法及び補修構造体に関する。
【背景技術】
【０００２】
コンクリート構造物にひび割れが発生した場合の一般的な補修方法としては、（１）ひび割れ内にエポキシ樹脂を注入し補強する方法、（２）ひび割れの表面部をＶカット又はＵカットすることにより凹部を形成し、該凹部にエポキシ樹脂パテ等を充填し平坦化する方法、等が知られている（例えば特許文献１参照）。
押出成形板からなる壁パネルにひび割れが発生している場合、そのひび割れは表側の表面板だけではなく、裏側の表面板にも発生している可能性が高い。そうすると、縦積みの押出成形板に、概して幅方向（水平方向）のひび割れが発生した場合、壁パネルは帳壁として必要な基本性能である曲げ性能、せん断性能が確保できなくなり、そのまま放置すると地震、強風等の際にパネルが脱落する可能性がある。そのため縦積みの押出成形板パネルに水平方向のひび割れが発生した場合、その対策としてはパネルを交換することが理想的である。しかし実際の建物でパネルを交換するためには内装側にも影響し工事も大がかりになることから、やむを得ず上記のような方法で補修、補強対応されることが多い。
【０００３】
しかしながら、（１）の方法では、押出成形板の表面板の厚さが１０〜２０ｍｍ程度と薄いため、注入するエポキシ樹脂が注入部からひび割れ沿いの面方向に広がる前に、表面板の裏面側（中空部側）にすぐに漏れ出してしまう。そのため、ひび割れ沿いに連続的にエポキシ樹脂を充填するためには注入部の間隔を狭くしなくてはならず、注入箇所数が多くなり手間がかかり不経済であるという問題があった。一方、ひび割れの幅が０．３ｍｍ以下で狭い場合には、この方法ではエポキシ樹脂がひび割れの深部まで充填されにくいため、十分な補強効果を期待出来ないという問題があった。また、この方法では、ひび割れの幅が広い場合にはエポキシ樹脂がだれてしまい、エポキシ樹脂がひび割れ内部に密実に充填されず欠陥部ができるため十分な強度が期待出来ないという問題があった。
したがって、押出成形板にひび割れが発生した場合の補修、補強方法としては、どちらかというと（２）の方法が一般的である。しかし、上記（１）、（２）どちらの方法も押出成形板の表側の表面板のみを補修、補強するものであり、隔壁部、及び裏側の表面板のひび割れは補強出来ないため、パネルに必要な曲げ性能、せん断性能が十分に確保出来ないという問題があった。
【先行技術文献】
【特許文献】
【０００４】
【特許文献１】特開平８−２８０６３号公報
【発明の概要】
【発明が解決しようとする課題】
【０００５】
本発明はこのような従来の実情に鑑みて考案されたものであり、ひび割れが発生した縦積みの押出成形板において、裏側の表面板も補強することができ、パネルに必要な曲げ性能、せん断性能が十分に確保できる、ひび割れの補修方法及び補修構造体を提供することを目的とする。
【課題を解決するための手段】
【０００６】
本発明者らは鋭意検討を進めた結果、ひび割れ近傍の表面板に孔をあけ、該孔から中空部にモルタルを注入充填し、硬化させることにより、前記課題を解決できることを見出し、本発明を完成させるに至った。すなわち、本発明は以下のとおりである。
［１］
略平行に配された一対の略長方形状の表面板と、前記表面板の長手方向に延びて該一対の表面板を所定間隔で一体的に結合する複数の隔壁部と、隣接する前記隔壁部の間に画成される中空部とを有し、長手方向が略鉛直方向となるように建築物の躯体に取り付けられた押出成形板において、幅方向に発生したひび割れの補修方法であって、
前記表面板の、前記ひび割れの下側に孔をあけ、該孔から該孔の直下の前記中空部に受け材を設け、該孔から前記中空部にモルタルを注入充填し硬化させることにより、前記ひび割れを跨ぐように、該中空部に密実な柱状のモルタル固着部を形成すること、を特徴とするひび割れの補修方法。
［２］
前記受け材が、孔から挿入する前は前記中空部の断面よりも大きなスポンジ状の発泡体であり、該スポンジ状の発泡体を前記孔から圧縮しながら挿入することにより前記受け材を設ける、［１］に記載のひび割れの補修方法。
［３］
前記受け材が風船であり、膨らませる前の風船を前記孔から挿入し、該孔の直下の前記中空部で膨らませることにより前記受け材を設ける、［１］に記載のひび割れの補修方法。
［４］
前記受け材が、発泡材を現場発泡させてなる発泡体であり、前記孔から該発泡材を噴射することにより該孔の直下の前記中空部に前記受け材を設ける、［１］に記載の補修方法。
［５］
前記発泡体がウレタンである、［４］に記載のひび割れの補修方法。
［６］
前記モルタルを注入する前に、前記孔から前記中空部に線状の補強材を挿入し、該補強材を前記モルタル固着部に内在させる、［１］〜［５］のいずれかに記載のひび割れの補修方法。
［７］
前記補強材は、線状の補強材本体と、該補強材本体から該補強材本体の軸と略垂直方向に突出した２箇所以上の突起部とを有している、［６］に記載のひび割れの補修方法。
［８］
前記突起部は、前記補強材本体の両端部近傍に設けられている、［７］に記載のひび割れの補修方法。
［９］
前記モルタルには、主剤と硬化剤とを含む反応硬化型のエポキシ樹脂からなる結合材が混和されている、［１］〜［８］のいずれかに記載のひび割れの補修方法。
［１０］
前記モルタルには、ガラス粉末、ガラスバルーン又は硅石紛体が混和されている、［１］〜［９］のいずれかに記載のひび割れの補修方法。
［１１］
前記モルタルには、グラスファイバー、カーボンファイバー又はスチールファイバーが混和されている、［１］〜［１０］のいずれかに記載のひび割れの補修方法。
［１２］
エポキシ樹脂からなる前記結合材が混和された前記モルタルを混練した後、硬化が進まぬよう−５℃以下の低温状態で冷凍保存しておき、使用場所で解凍し、柔らかくなった状態で注入充填する、［９］に記載のひび割れの補修方法。
［１３］
前記孔の大きさが１０〜５０ｍｍである、［１］〜［１２］のいずれかに記載のひび割れの補修方法。
［１４］
前記モルタル固着部の長さが５０ｍｍ以上である、［１］〜［１３］のいずれかに記載のひび割れの補修方法。
［１５］
前記モルタル固着部が、前記ひび割れに対し上下に略均等に形成されている、［１］〜［１４］のいずれかに記載のひび割れの補修方法。
［１６］
同一の前記ひび割れに対して前記モルタル固着部を複数の前記中空部に形成する、［１］〜［１５］のいずれかに記載のひび割れの補修方法。
［１７］
前記ひび割れの延長線上であって、該ひび割れが発生していない箇所の前記中空部にも前記モルタル固着部を形成する、［１］〜［１６］のいずれかに記載のひび割れの補修方法。
［１８］
前記孔から前記モルタルを注入充填した後、該孔を塞ぎ材で塞ぐ、［１］〜［１７］のいずれかに記載のひび割れの補修方法。
［１９］
前記塞ぎ材で塞がれた前記孔に、さらに不定形の充填材を充填し、前記表面板の表面を平坦に仕上げる、［１８］に記載のひび割れの補修方法。
［２０］
前記不定形の充填材が、モルタル、シーリング材又はエポキシ樹脂系のパテ材である、［１９］に記載のひび割れの補修方法。
［２１］
前記ひび割れに対し、前記表面板の表面を該ひび割れに沿ってＶカット又はＵカットすることにより凹部を形成し、該凹部に不定形の充填材を充填し、前記表面板の表面を平坦に仕上げる、［１］〜［２０］のいずれかに記載のひび割れの補修方法。
［２２］
前記不定形の充填材が、モルタル、シーリング材又はエポキシ樹脂系のパテ材である、［２１］に記載のひび割れの補修方法。
［２３］
前記モルタル固着部が形成された前記中空部の上端において、上端部よりも下側の前記表面板に孔をあけ、該孔の直下の前記中空部に受け材を設け、該孔から前記中空部にモルタルを注入充填し硬化させることにより、該中空部の上端開口を塞ぐ、［１］〜［２２］のいずれかに記載のひび割れの補修方法。
［２４］
略平行に配された一対の略長方形状の表面板と、前記表面板の長手方向に延びて該一対の表面板を所定間隔で一体的に結合する複数の隔壁部と、隣接する前記隔壁部の間に画成される中空部とを有し、長手方向が略鉛直方向となるように建築物の躯体に取り付けられた押出成形板において、幅方向に発生したひび割れの補修構造体であって、
前記表面板の、前記ひび割れの下側にあけられた孔と、該孔の直下の前記中空部に設けられた受け材と、前記ひび割れを跨ぐように、該中空部の前記受け材上に密実に形成された柱状のモルタル固着部とを有すること、を特徴とするひび割れの補修構造体。
【発明の効果】
【０００７】
本発明によれば、ひび割れ近傍の表面板に孔をあけ、該孔の直下の中空部に受け材１１を設け、該孔から中空部にモルタルを注入充填し、硬化させてモルタル固着部を形成することにより、裏側の表面板も補強することができ、ひび割れ発生箇所に、パネルに必要な曲げ性能、せん断性能を付与することが可能となる。したがって、本来であればパネル交換という大がかりな工事になりがちなところを簡易でローコストなパネル補強工事で済ませることが出来、工期も短く済み経済的である。
【図面の簡単な説明】
【０００８】
【図１】押出成形板にひび割れが生じている状態を示す斜視図である。
【図２】押出成形板の補修方法を説明するための平面透視図である。
【図３】図２中Ａ−Ｂ線における断面図である。
【図４】補修部分を拡大して示す断面図である。
【図５】補修部分を拡大して示す断面図である。
【図６】補強材を使用する場合の補修部分の断面図である。
【図７】孔部分を拡大して示す断面図である。
【図８】ひび割れ補修部分を拡大して示す断面図である。
【発明を実施するための形態】
【０００９】
以下、本発明の実施の形態について、図面を参照しながら説明する。
図１は、押出成形板にひび割れが生じている状態を示す斜視図であり、図２〜６は、押出成形板の補修方法を説明するための図である。
図１に示すように、押出成形板１は、セメント等からなり、略平行に配された一対の略長方形状の表面板２，３と、表面板２，３の長手方向に延びて該一対の表面板２，３を所定間隔で一体的に結合する複数の隔壁部４と、隣接する隔壁部４の間に画成される中空部５とを有する。
押出成形板１からなる壁パネルは、表側の表面板２を露出させて長手方向が略鉛直方向となるように配置され、いわゆる縦積みで建築物の躯体に取り付けられる（図示略）。この壁パネルには、表面板２において、複数の中空部５と交差するように、壁パネルの幅方向（略水平方向）にひび割れ６が発生している。
【００１０】
本発明のひび割れ６の補修方法は、表面板２の、ひび割れ６の下側に孔１０をあけ、孔１０の直下の中空部５に受け材１１を設け（図４参照）、該孔１０から中空部５にモルタルを注入充填し硬化させることにより、ひび割れ６を跨ぐように、該中空部５に密実な柱状のモルタル固着部１２を形成する（図５参照）。
押出成形板１のひび割れ６の発生箇所の下側に孔１０をあけ、孔１０の直下の中空部５に受け材１１を設け、該孔１０から押出成形板１の中空部５にモルタルを注入充填し、ひび割れ６の近傍にひび割れ６を跨ぐように柱状の強固なモルタル固着部１２を形成することで、ひび割れ６の発生箇所を補強する。
注入したモルタルが硬化することで押出成形板１の中空部５と注入されたモルタルとが一体化することで、ひび割れ６の発生箇所を強固に補強することが出来る。また、図３に示すように、中空部５の周囲と柱状のモルタルとが隙間なく密実に一体化することで、ひび割れ６からの水の浸入をモルタル固着部１２で防ぐことが出来る。
【００１１】
このようにして得られた、本発明のひび割れの補修構造体は、いわゆる縦積みの押出成形板において、幅方向（略水平方向）に発生したひび割れの補修構造体であって、表面板２のひび割れ６の近傍にあけられた孔１０と、ひび割れ６跨ぐように、中空部５に形成された柱状のモルタル固着部１２とを有するものとなる。
このような補修構造体では、裏側の表面板３も補強され、パネルに必要な曲げ性能、せん断性能を有するものとなる。
【００１２】
受け材１１としては、スポンジ状の発泡体、風船、あるいは現場発泡体等が用いられる。
受け材１１がスポンジ状の発泡体である場合には、孔１０から挿入する前は中空部５の断面よりも大きなスポンジ状の発泡体であり、その発泡体を孔１０から圧縮しながら押し込むことで挿入し、孔１０の直下の中空部に受け材１１を設ける。発泡体の反発力が弱いと中空部５の周囲との摩擦抵抗が小さくなり、モルタルを注入した際にモルタルの重さに耐えられなくなり、ずり落ちてしまう可能性があるため、発泡体の圧縮率を高める等して十分な摩擦抵抗を確保する必要がある。そのため、受け材１１の発泡体としては、圧縮挿入後の復元力が大きく高反発であるものが好適である。
【００１３】
受け材１１が風船である場合には、膨らませる前の風船を孔１０から挿入し、孔１０の直下の中空部５で膨らませることにより受け材１１を設ける。膨らませた後の反発力が弱いと中空部５の周囲との摩擦抵抗が小さくなり、モルタルを注入した際にモルタルの重さに耐えられなくなり、ずり落ちてしまう可能性があるため、空気圧を高める等して十分な摩擦抵抗を確保する必要がある。風船は膨らませた後に空気の挿入口を塞ぐ手間を省くため、逆止弁着きのものを使用すると便利である。
【００１４】
受け材１１がウレタン等の発泡材を現場発泡させてなる発泡体である場合には、孔１０から発泡材を噴射することで孔１０の直下の中空部５に受け材１１を設ける。発泡材を噴射後、発泡体が硬化するまでに時間がかかると、すぐにはモルタルを注入できないため、発泡後に速やかに硬化するものであることが好ましい。
【００１５】
これらの受け材１１は、少なくともモルタルが硬化し、中空部５の周囲と一体化するまでの間、モルタルの重さを支えることができれば十分であり、その後、例えば風船や発泡体がしぼんでしまっても構わない。
【００１６】
図６に示すように、モルタル固着部１２に線状の補強材２０を内在させることが好ましい。モルタルを注入する前に、孔１０から中空部５に線状の補強材２０を挿入し、該補強材２０をモルタル固着部１２に内在させることが好ましい。モルタル固着部１２が補強材２０により補強される。これによりモルタル固着部１２の強度をさらに高め、モルタル固着部１２に靱性を持たせることができる。すなわち、この補強材２０は、鉄筋コンクリートにおける鉄筋と同様の役割を担う。補強材２０としては鉄筋のような鋼材、強化プラスチックの成形品等、高強度の材料が好適である。また、補強材２０を小さな孔１０から挿入する場合には、例えば針金のように変形可能な材料であれば挿入が容易となる。
【００１７】
また、補強材２０は、線状の補強材本体２１と、該補強材本体２１から該補強材本体２１の軸と略垂直方向に突出した２箇所以上の突起部２２とを有していることが好ましい。突起部２２により、中空部５の周囲と補強材本体２１との間にある程度の空間（かぶり）を確保することができ、この空間にモルタルが入り込むことによりモルタル固着部１２と補強材２０との付着力を確保することができる。線状の補強材本体２１としては例えば長ボルト、突起部２２としては例えばナット等が考えられる。例えば、長ボルト（補強材本体２１）に複数個のナット（突起部２２）を螺合させることで突起部２２を有する線状の補強材２０を容易に形成することができる。
また、突起部２２の数および位置としては特に限定されるものではないが、突起部２２のうちの２箇所を補強材２０の両端付近にすることで、モルタルと補強材２０との付着力を好適に確保することができる。なお、図６に示す例では、モルタル固着部１２に内在される線状の補強材２０は４箇所の突起部２２を有している。また、４か所の突起部２２のうちの２箇所は補強材２０の両端付近となっている。
【００１８】
モルタルには、ガラス粉末、ガラスバルーン又は硅石紛体（シリカパウダー）が混和されていることが好ましい。これらを混和させることにより、硬化後のモルタル固着部１２の線膨張率を押出成形板１の線膨張率に近づけることができるとともに、モルタルの軽量化をはかることが出来る。モルタル固着部１２の線膨張率を押出成形板１の線膨張率に近づけることにより、中空部５の内壁側とモルタル固着部１２との界面での、ヒートショック等によるディファレントムーブメントによる肌別れ（剥離）を防止できる。
さらに、モルタルには、グラスファイバー、カーボンファイバー又はスチールファイバーが混和されていることが好ましい。これらを混和させることにより、モルタル固着部１２に靱性をもたせ、強度アップをはかることが出来る。
【００１９】
また、モルタルには、モルタルを硬化させるための結合材として、主剤と硬化剤とからなる反応硬化型のエポキシ樹脂、あるいはセメント等が混和されており、特に、反応硬化型のエポキシ樹脂が好ましい。
また、モルタルとしてエポキシ樹脂混和モルタルを使用する場合、現場で材料を混練しようとすると、混和材料の計量、混練器材の準備、洗浄等の作業が必要となり、現場で行うことは大変である。そのため、エポキシ樹脂混和モルタルを用いる場合には、予め工場等で所定の調合で混練し、混練後、硬化が進まぬよう−５℃以下の低温状態で冷凍保存しておく。そして、エポキシ樹脂混和モルタルを使用場所で自然放置、或いは温水に浸ける等して解凍し、柔らかくなった状態で使用する方法が好適である。
【００２０】
また、表面板２に開けられる孔１０の大きさは、特に限定されるものではないが、小さすぎるとモルタルを注入する際の抵抗が大きくなり作業効率が悪くなる。また、孔１０が小さすぎると補強材２０も孔１０から挿入しづらくなる。一方、孔１０が大きすぎると、注入後に注入したモルタルが孔１０から漏れやすく孔１０を塞ぎづらくなる。したがって、孔１０の大きさとしては１０〜５０ｍｍ程度が好ましい。
また、中空部５に形成されるモルタル固着部１２の長さは、短すぎると十分な強度が確保出来ないため、５０ｍｍ以上であることが好ましい。中空部５に形成されるモルタル固着部１２は、バランス上、ひび割れ６位置に対し上下にほぼ均等であることが好ましい。また、同一ひび割れ６に対するモルタルを注入充填、補強する箇所が多いほど、強度アップをはかることができる。
【００２１】
同一のひび割れ６に対してモルタル固着部１２を複数の中空部５に形成することが好ましい。ひび割れ６の発生している箇所の中空部５全てに、モルタルを注入充填し補強するのが最適であるが、全ての中空部５にモルタルを注入充填、補強することは、手間もかかり不経済であるため、強度上余裕があると判断される場合等には、中空部５は、図２に及び図３に示すように、１つおき、２つおき等、ある程度間隔をあけてモルタルを注入充填、補強してもかまわない。
【００２２】
図２に示すように、ひび割れ６がパネル幅全体ではなくパネル幅の途中で止まっている場合、ひび割れ６は、その延長線上で更に先に伸展する可能性が高いため、補強箇所７として示すように、ひび割れ６の延長線上であって、ひび割れ６が発生していない箇所の中空部５にもモルタルを注入充填し、ひび割れ６の近傍も補強することが好ましい。これにより、ひび割れ６の発生箇所断面の全体的なパネル性能（曲げ性能、せん断性能）を高めることが出来る。
【００２３】
図７は、孔１０を拡大して示す断面図である。孔１０は、孔１０からモルタルを注入充填した後、孔１０から定形の塞ぎ材３０を圧縮しながら挿入し、孔１０の底部側（奥側）を定形の塞ぎ材３０で塞いでいる。これにより孔１０からのモルタルの逆流、漏れ出しを防ぐことが出来る。塞ぎ材３０としては、アクリル樹脂、ポリウレタン樹脂等の発泡体で、圧縮した状態で挿入した後、孔１０と塞ぎ材との間の摩擦力で滑らないものが好適である。
さらに、図７に示すように、塞ぎ材で塞がれた孔１０に、さらに不定形の充填材３１を充填し、表面板２の表面を平坦に仕上げてもよい。これにより補修後に塗装等の仕上げを支障なく施すことができる。充填材３１は、例えば、モルタル、シーリング材、又は、エポキシ樹脂系のパテ材である。
【００２４】
さらに、ひび割れ６の近傍を、上述したような方法で補強するとともに、ひび割れ６に対しては、図８に示すように、表面板２の表面をひび割れ６に沿ってＶカット又はＵカット等することにより凹部３２を形成し、凹部３２に充填材３３を充填することにより、パネル表面側を平坦に仕上げてもよい。不定形の充填材３３は、例えばモルタル、シーリング材、エポキシ樹脂系のパテ材等の不定形充填材である。これにより、ひび割れ６の発生箇所断面全体に、孔をあけてモルタル固着部を形成させた部位、および、ひび割れを削って充填材を充填させた部位を組み合わせて形成させることで、パネル性能（曲げ性能、せん断性能）を更に高めることが出来る。また、ひび割れ６の発生箇所からの漏水を阻止することが出来る。
【００２５】
なお、押出成形板１からなる壁パネルが外壁であって、パネル目地間のシーリング材が切れる等して外部側から雨水等の水の浸入（漏水）があった場合、その水がパネル上端の小口から中空部５に侵入し、注入補強したモルタル固着部１２の上部に水柱のように溜まるおそれがある。
そのため、注入補強したモルタル固着部１２の中空部５の上端開口を塞いでおくことが好ましい。具体的には、図２に示すように、モルタルを注入充填し補強した中空部５において、パネル上端部より下側に孔４０をあけ、該孔４０の直下の中空部５に受け材４１を設け、該孔１０から中空部５にモルタルを注入充填、硬化させることによりモルタル固着部４２を形成し、中空部５の上端開口をモルタル固着部４２で塞いでおく。これにより、パネル上端からの水の浸入を防ぐことができる。なお、パネル上端にモルタルを注入充填する場合、充填が不十分でパネル上端１ａとモルタル固着部４２の上部４２ａの間に隙間があると、その部分に水が溜まる危険性があるため、モルタル固着部４２の上部４２ａはパネル上端１ａよりも若干盛りぎみにしておいた方が良い。
【００２６】
このように、本発明によれば、ひび割れが発生した縦積みの押出成形板において、ひび割れ近傍の表面板に孔をあけ、該孔から孔の直下の中空部に受け材を設けるとともに、該孔から中空部にモルタルを注入充填し、硬化させてモルタル固着部を形成することにより裏側の表面板も補強することができ、ひび割れ発生箇所に、パネルに必要な曲げ性能、せん断性能を付与することが可能となる。したがって、本来であればパネル交換という大がかりな工事になりがちなところを簡易でローコストなパネル補強工事で済ませることが出来、工期も短く済み経済的である。
【００２７】
以上、本発明の実施の形態について説明してきたが、本発明はこれに限定されるものではなく、発明の趣旨を逸脱しない範囲で適宜変更可能である。
【産業上の利用可能性】
【００２８】
本発明によるひび割れの補修方法を用いることで、パネルに必要な曲げ性能、せん断性能が十分に確保出来るものとなり、縦積みされた押出成形板の補修方法として広く利用することができる。
【符号の説明】
【００２９】
１    ：押出成形板（壁パネル）
２，３    ：表面板
４    ：隔壁部
５    ：中空部
６    ：ひび割れ
７    ：補強箇所
１０  ：孔
１１  ：受け材
１２  ：モルタル固着部
２０  ：補強材
２１  ：補強材本体
２２  ：突起部
３０  ：塞ぎ材
３１  ：充填材
３２  ：凹部
３３  ：充填材
４０  ：孔
４１  ：受け材
４２  ：モルタル固着部
【図１】
0006521797.tif 000002
【図２】
0006521797.tif 000003
【図３】
0006521797.tif 000004
【図４】
0006521797.tif 000005
【図５】
0006521797.tif 000006
【図６】
0006521797.tif 000007
【図７】
0006521797.tif 000008
【図８】
0006521797.tif 000009